【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
ユーザーインターフェイス挙動を操作するための方法であって、
表示された文書ページ上に挿入点を作成するステップと、
前記挿入点を自由に移動するカーソルと区別するステップと、
前記表示された文書ページ上のジェスチャーベースの入力およびタッチベースの入力のうちの少なくとも１つを含むユーザー入力を検出するステップと、
前記ユーザー入力が前記挿入点の周囲の事前に定義された領域内で発生する場合、前記ユーザーが前記ページのコンテンツと対話するのを可能にするステップと、
前記ユーザー入力が前記挿入点の周囲の前記事前に定義された領域の外部で発生する場合、前記ユーザーが前記ページと対話するのを可能にするステップと
を含む方法。
【請求項２】
前記ユーザー入力が、任意の方向のドラッグ動作、タップ、およびピンチのうちの１つを含む、請求項１に記載の方法。
【請求項３】
前記ページとの前記対話が、パンすること、ページサイズを変更すること、ページ特性を変更すること、およびページビューを変更することのセットからの少なくとも１つを含む、請求項１に記載の方法。
【請求項４】
前記文書ページを表示するデバイスの物理的サイズ、前記文書ページを表示するユーザーインターフェイスのサイズ、事前に定義された設定、タッチベースの対話に関して使用されるタッチオブジェクトのサイズ、およびユーザー入力方法のタイプのうちの少なくとも１つに基づいて、前記挿入点の周囲の前記事前に定義された領域のサイズを動的に調整するステップ
をさらに含む、請求項１に記載の方法。
【請求項５】
前記コンテンツが、テキスト、グラフィカルオブジェクト、画像、およびビデオオブジェクトのセットからの少なくとも１つを含む、請求項１に記載の方法。
【請求項６】
ユーザーインターフェイス挙動が調整可能であることを示すハンドルとともに前記挿入点を提示するステップ
をさらに含む、請求項１に記載の方法。
【請求項７】
選択のために前記コンテンツのカスタム範囲を生成するために、前記ユーザーが前記ハンドルを調整することを可能にするステップ
をさらに含む、請求項６に記載の方法。
【請求項８】
前記ユーザー入力が前記事前に定義された領域内からのドラッグ動作を含む場合、コンテンツとの対話を示す、左矢印および右矢印のうちの少なくとも１つを前記挿入点の付近に提示するステップ
をさらに含む、請求項１に記載の方法。
【請求項９】
前記事前に定義された領域内からのドラッグ操作を検出すると、前記ドラッグ動作の方向の、前記矢印のうちの１つをフィードバックとして表示するステップ
をさらに含む、請求項４に記載の方法。
【請求項１０】
前記ユーザー入力が、
タッチベースの入力、マウス入力、キーボード入力、音声ベースの入力、およびジェスチャーベースの入力のうちの１つを介して受信される、請求項１に記載の方法。
【請求項１１】
ユーザーインターフェイス挙動を操作することが可能なコンピューティングデバイスであって、
文書ページを提示するユーザーインターフェイスを表示するように構成されたディスプレイと、
タッチベースの入力、マウス入力、キーボード入力、音声ベースの入力、およびジェスチャーベースの入力のうちの１つを受信するように構成された入力構成要素と、
命令を記憶するように構成されたメモリーと、
前記記憶された命令を実行するために前記メモリーに結合されたプロセッサーとを備え、前記プロセッサーが、
前記文書を開くことおよびユーザー入力のうちの１つに応答して、前記表示された文書ページ上に挿入点を作成するステップと、
点滅カレットおよび前記挿入点における第１のハンドルとしての区別できる形状のうちの少なくとも１つを使用することによって、前記挿入点を自由に移動するカーソルと区別するステップであって、前記自由に移動するカーソルは、点滅しない縦線またはコンテンツ上の矢印として表される、ステップと、
前記表示された文書ページ上の後続のユーザー入力を検出するステップと、
前記後続のユーザー入力が前記挿入点の周囲の事前に定義された領域内に発生することに応答して、
前記挿入点を、ユーザーインターフェイス挙動が調整可能であることを示す前記第１のハンドルとともに提示するステップと、
前記ユーザーが前記ページの前記コンテンツと対話するのを可能にするステップであって、前記コンテンツが、テキスト、グラフィカルオブジェクト、画像、ビデオオブジェクト、表、およびテキストボックスのセットからの少なくとも１つを含む、ステップと、
前記後続のユーザー入力がドラッグ動作を含むことに応答して、前記後続のユーザー入力の完了の後に、前記コンテンツの選択の縁上に第２のハンドルを提示するステップと、
前記後続のユーザー入力が前記挿入点の周囲の前記事前に定義された領域の外部で発生することに応答して、前記ユーザーが前記ページと対話するのを可能にするステップと
を実行するように構成されるコンピューティングデバイス。
【請求項１２】
前記ユーザーがコンテンツと対話するのを可能にするステップが、テキストおよびオブジェクトの組合せについての前記選択を含む、請求項１１に記載のコンピューティングデバイス。
【請求項１３】
前記後続のユーザー入力が任意の方向のドラッグ動作である、請求項１１に記載のコンピューティングデバイス。
【請求項１４】
前記プロセッサーが、前記文書の一部の場合、前記挿入点を配置することを不可能にするステップであって、配置されることが試みられている前記挿入点には編集可能なコンテキストがない、ステップを行うようにさらに構成される、請求項１１に記載のコンピューティングデバイス。
【請求項１５】
前記挿入点の周囲の前記事前に定義された領域が、前記ディスプレイの物理的サイズおよび前記ユーザーインターフェイスの仮想サイズのうちの１つに基づいて、固定サイズおよび動的に調整可能なサイズのうちの１つを有する、請求項１１に記載のコンピューティングデバイス。
【請求項１６】
前記ユーザーインターフェイスが、ワード処理アプリケーション、スプレッドシートアプリケーション、プレゼンテーションアプリケーション、スケジューリングアプリケーション、電子メールアプリケーション、カレンダーアプリケーション、およびブラウザのうちの１つに関連付けられる、請求項１１に記載のコンピューティングデバイス。
【請求項１７】
ユーザーインターフェイス挙動を操作するための命令を記憶したコンピューター可読記憶デバイスであって、前記命令が、
ジェスチャーベースの動作およびタッチベースの動作のうちの少なくとも１つに応答して、表示された文書ページ上に挿入点を作成するステップと、
前記挿入点を自由に移動するカーソルと区別するステップと、
前記表示された文書ページ上の別のジェスチャーベースの動作および別のタッチベースの動作のうちの少なくとも１つを含む、後続のユーザー動作を検出するステップと、
前記後続のユーザー動作が前記挿入点の周囲の事前に定義された領域内で発生することに応答して、
前記挿入点を、ユーザーインターフェイス挙動が調整可能であることを示す第１のハンドルとともに提示するステップと、
ユーザーが前記ページのコンテンツの少なくとも一部と対話するのを可能にするステップと、
前記後続のユーザー入力がドラッグ動作を含むことに応答して、前記後続のユーザー入力の完了の後に、前記コンテンツの選択の縁上に第２のハンドルを提示するステップと、
前記後続のユーザー動作が前記挿入点の周囲の前記事前に定義された領域の外部で発生することに応答して、前記ユーザーが、前記ページをパンすること、前記ページをズームすること、前記ページを回転させること、およびメニューをアクティブ化させることのセットから少なくとも１つを実行して、前記ページと対話するのを可能にするステップと
を含む、コンピューター可読記憶デバイス。
【請求項１８】
前記命令が、前記後続のユーザー動作に関して使用される入力のタイプに基づいて、前記事前に定義された領域のサイズを調整するステップをさらに含む、請求項１７に記載のコンピューター可読記憶デバイス。
【請求項１９】
前記ユーザーが前記コンテンツの一部と対話するのを可能にするステップが、前記ユーザーが前記コンテンツの前記一部を選択するのを可能にするステップを含む、請求項１８に記載のコンピューター可読記憶デバイス。
【請求項２０】
前記命令が、
前記挿入点の配置に続いて、前記後続のユーザー動作が前記事前に定義された領域内からのドラッグ動作を含む場合、コンテンツとの対話を示す少なくとも１つの矢印を前記挿入点の付近に提示するステップと、
前記事前に定義された領域内からの前記ドラッグ動作を検出すると、前記ドラッグ動作の方向の、前記矢印のうちの１つを表示するステップと
をさらに含む、請求項１８に記載のコンピューター可読記憶デバイス。